(57)【要約】【課題】平面に置いて広げた状態で立体的な形状を有する部分を補強したり型崩れを防止したりすることができる衣類を提供する。【解決手段】平面に置いて広げた状態で３次元的に突起した形状をなす突起部と、突起部の表面、裏面、または内部の一部に設けられており、線および点の少なくとも一方を用いて形成される３次元パターンを有する樹脂からなる樹脂部と、を備える。【選択図】図１
2020105658.tif 000002
【特許請求の範囲】
【請求項１】
平面に置いて広げた状態で３次元的に突起した形状をなす突起部と、
前記突起部の表面、裏面、または内部の一部に設けられており、線および点の少なくとも一方を用いて形成される３次元パターンを有する樹脂からなる樹脂部と、
を備えたことを特徴とする衣類。
【請求項２】
前記突起部および前記樹脂部が取り付けられる生地部をさらに備えたことを特徴とする請求項１に記載の衣類。
【請求項３】
前記樹脂が、前記突起部と前記生地部とを接着する接着剤であることを特徴とする請求項２に記載の衣類。
【請求項４】
前記線の幅または厚みおよび前記点の最大径または厚みが０．２ｍｍ以上５ｍｍ以下であることを特徴とする請求項１〜３のいずれか一項に記載の衣類。
【請求項５】
前記樹脂が反応型ホットメルトであることを特徴とする請求項１〜４のいずれか一項に記載の衣類。
【発明の詳細な説明】
【技術分野】
【０００１】
本発明は、衣類に関する。
【背景技術】
【０００２】
衣類を構成するパーツに対して保形性を付与したり、立体的な形状を付与したりする技術として、パーツを構成する部材同士を接着する技術が知られている。例えば、特許文献１には、伸縮性材料から構成される衣類のパーツ同士を、接着パターンを介して貼り合わせる技術が提案されている。
【先行技術文献】
【特許文献】
【０００３】
【特許文献１】特許第６１５３５４４号公報
【発明の概要】
【発明が解決しようとする課題】
【０００４】
しかしながら、上述した技術では、材料の伸縮性を阻害することなくパーツ同士を接着することができるものの、その分だけ接着構造の剛性が小さく、立体的な形状の部分を補強したり型崩れを防止したりすることはできなかった。
【０００５】
本発明は、上記に鑑みてなされたものであって、平面に置いて広げた状態で立体的な形状を有する部分を補強したり、その部分の型崩れを防止したりすることができる衣類を提供することを目的とする。
【課題を解決するための手段】
【０００６】
上述した課題を解決し、目的を達成するために、本発明に係る衣類は、平面に置いて広げた状態で３次元的に突起した形状をなす突起部を有する突起部と、前記突起部の表面、裏面、または内部の一部に設けられており、線および点の少なくとも一方を用いて形成される３次元パターンを有する樹脂からなる樹脂部と、を備えたことを特徴とする。
【０００７】
本発明に係る衣類は、上記発明において、前記突起部が取り付けられる生地部をさらに備えたことを特徴とする。
【０００８】
本発明に係る衣類は、上記発明において、前記樹脂が、前記突起部と前記生地部とを接着する接着剤であることを特徴とする。
【０００９】
本発明に係る衣類は、上記発明において、前記線の幅または厚みおよび前記点の最大径または厚みが０．２ｍｍ以上５ｍｍ以下であることを特徴とする。
【００１０】
本発明に係る衣類は、上記発明において、前記樹脂が反応型ホットメルトであることを特徴とする。
【発明の効果】
【００１１】
本発明によれば、平面に置いて広げた状態で立体的な形状を有する部分を補強したり、その部分の型崩れを防止したりすることができる。
【図面の簡単な説明】
【００１２】
【図１】図１は、実施の形態１に係る衣類の構成を示す図である。
【図２】図２は、図１のＡ−Ａ線断面図である。
【図３】図３は、ブラジャーの正面図である。
【図４】図４は、ブラジャーの上衣への取り付け方の第１変形例を示す図である。
【図５】図５は、ブラジャーの上衣への取り付け方の第２変形例を示す図である。
【図６】図６は、ブラジャーの突起部に対する樹脂部の位置の第１変形例を示す断面図である。
【図７】図７は、ブラジャーの突起部に対する樹脂部の位置の第２変形例を示す断面図である。
【図８】図８は、樹脂部の３次元パターンの第１変形例を示すブラジャーの正面図である。
【図９】図９は、樹脂部の３次元パターンの第２変形例を示すブラジャーの正面図である。
【図１０】図１０は、樹脂部の３次元パターンの第３変形例を示すブラジャーの正面図である。
【図１１】図１１は、樹脂部の３次元パターンの第４変形例を示すブラジャーの正面図である。
【図１２】図１２は、樹脂部の３次元パターンの第５変形例を示すブラジャーの正面図である。
【図１３】図１３は、樹脂部の３次元パターンの第６変形例を示すブラジャーの正面図である。
【図１４】図１４は、樹脂部の３次元パターンの第７変形例を示すブラジャーの正面図である。
【図１５Ａ】図１５Ａは、実施の形態２に係る衣類の構成を示す正面図である。
【図１５Ｂ】図１５Ｂは、図１５Ａの矢視Ｂ方向の側面図である。
【図１６Ａ】図１６Ａは、実施の形態２の変形例に係る衣類の構成を示す正面図である。
【図１６Ｂ】図１６Ｂは、図１６Ａの矢視Ｃ方向の側面図である。
【図１７Ａ】図１７Ａは、実施の形態３に係る衣類の構成を示す正面図である。
【図１７Ｂ】図１７Ｂは、図１７Ａの矢視Ｄ方向の側面図である。
【図１８Ａ】図１８Ａは、実施の形態３の変形例に係る衣類の構成を示す正面図である。
【図１８Ｂ】図１８Ｂは、図１８Ａの矢視Ｅ方向の側面図である。
【発明を実施するための形態】
【００１３】
以下、添付図面を参照して、本発明を実施するための形態（以下、「実施の形態」という」）を説明する。なお、図面はあくまでも模式的なものである。
【００１４】
（実施の形態１）
図１は、実施の形態１に係る衣類の構成を示す図である。同図に示す衣類１は、タンクトップ状の生地部である上衣２と、上衣２の裏側に取り付けられており、着用者の胸部を保護するブラジャー３とを備える。
【００１５】
図２は、図１のＡ−Ａ線断面図である。また、図３は、ブラジャー３の正面図である。図２および図３に示すように、ブラジャー３は、略椀状をなす２つの突起部３１と、突起部３１の表面に設けられた樹脂部３２とを有する。
【００１６】
突起部３１は、略椀状の頂点を上にした状態で平面に置いて広げたとき、３次元的に突起している。突起部３１の頂点の平面からの高さは２ｃｍ以上である。
【００１７】
樹脂部３２は、突起部３１のうち着用者のバストを受けるアンダー部分の表面に形成されており、複数の曲線が交差する編目状の３次元パターンを有する。樹脂部３２は、例えば突起部３１の表面に対してその法線方向から樹脂を吹き付けることによって形成される。なお、樹脂部３２を構成する３次元パターンはこれに限られるわけではなく、線状パターンおよび点状パターンの少なくとも一方を用いて形成してもよい。本明細書でいう線や点とは、幾何学的に定義される線や点とは異なり、幅や大きさを有するものを意味している。他の３次元パターンの形成例については、変形例として後述する。
【００１８】
樹脂部３２を構成する樹脂は、天然樹脂よりも合成樹脂の方が好ましく、その中でも熱可塑性樹脂がより好ましい。例えば、ポリエチレン、ポリプロピレン、ポリ塩化ビニル、ポリスチレン、ポリ酢酸ビニル、ポリウレタン、ポリテトラフルオロエチレン、ポリアクリル、ポリアミド、ポリアセタール、ポリカーボネート、ポリフェニレンエーテル、ポリエステル、ポリフェニレンスルファイド、ポリサルフォン、ポリエーテルサルフォン、ポリエーテルエーテルケトン、ポリイミド、ポリアミドイミドなどの他、高分子化合物からなるものであれば特に限定されず、種々のものを用いることができる。
【００１９】
樹脂部３２を構成する樹脂の好ましい硬さとしては、「ＪＩＳ  Ｋ  ７２１５  １９８６年」に記載されているプラスチックのデュロメーター硬さ試験方法に準じて測定したデュロメーターＤ硬さが１０〜９０であり、より好ましくは１０〜６０である。
【００２０】
樹脂部３２を構成する樹脂の好ましい比重としては、「ＪＩＳ  Ｋ  ７１１２  １９９９年」に記載されているプラスチックの比重測定方法に準じて測定した比重が１．００〜１．３０であり、より好ましくは１．１０〜１．２０である。
【００２１】
上衣２の裏面とブラジャー３の表面は、接着または縫製によって一体になっている。ブラジャー３を上衣２に接着する場合には、樹脂部３２を接着剤として機能させてもよい。樹脂部３２を構成する樹脂が接着剤として機能する場合、この樹脂を媒介することによって化学的および物理的な力の少なくとも一方によって二つの面が結合する。樹脂を接着する部位に塗布して加熱処理すると、樹脂が軟化または溶融して接着部位の構造間に浸み込んで、冷却固化することによって接着する。この場合の樹脂は、反応性ホットメルトであることが好ましい。樹脂が反応性ホットメルトであるとき、樹脂が軟化または溶融して接着部位の構造間に浸み込んで、冷却固化した後に周囲の湿気と反応することにより架橋が進行し、耐熱性および耐溶剤性などに優れた樹脂構造物を形成することができる。
【００２２】
以上説明した実施の形態１によれば、平面に置いて広げた状態で３次元的に突起した形状をなす突起部と、突起部の表面の一部に設けられており、線および点の少なくとも一方を用いて形成される３次元パターンを有する樹脂からなる樹脂部と、を備えているため、平面に置いて広げた状態で立体的な形状を有する部分を補強したり、その部分の型崩れを防止したりすることができる。
【００２３】
また、実施の形態１によれば、線状パターンおよび点状パターンの組み合わせによって３次元パターンを自由に形成することができるため、着用者の体型に合った形状のブラジャーを作成し、着用者に対して快適なフィット感を提供することができる。
【００２４】
上述した特許文献１等の技術では、３次元形状を有する素材に対して接着樹脂を形成するものではないことから、平面に置いて広げた状態で立体的な形状を有する部分を補強したり、その部分の型崩れを防止したりできるものではない。これに対して、実施の形態１では、突起部に樹脂を吹き付けることによって３次元パターンを形成することにより、上述した効果を得ることができる。
【００２５】
（変形例）
ブラジャー３の上衣２への取り付け方、ブラジャーの突起部に対する樹脂部の位置、および樹脂部の３次元パターンは上述したものに限られるわけではない。以下、それぞれの変形例を説明する。
【００２６】
図４は、ブラジャー３の上衣２への取り付け方の第１変形例を示す図である。同図に示す衣類１Ａにおいて、ブラジャー３は上衣２の表面側に設けられている。この場合には、ブラジャー３の裏面と上衣２の表面を接着または縫製によって取り付ける。
【００２７】
図５は、ブラジャー３の上衣２への取り付け方の第２変形例を示す図である。同図に示す衣類１Ｂは、実施の形態１の衣類１の構成に加えて、裏地３’をさらに備える。この場合には、ブラジャー３の裏面と裏地３’も接着または縫製によって取り付けてもよいし、上衣２と裏地３’とを接着または縫製によって取り付けてもよい。
【００２８】
図６は、ブラジャーの突起部に対する樹脂部の位置の第１変形例を示す断面図である。同図に示すブラジャー３Ａは、突起部３１の裏面側に樹脂部３２が設けられている。
【００２９】
図７は、ブラジャーの突起部に対する樹脂部の位置の第２変形例を示す断面図である。同図に示すブラジャー３Ｂは、突起部３３の表面と突起部３４の裏面の間に樹脂部３２が設けられており、樹脂部３２はブラジャー３Ｂの内部に入っている。この場合には、例えば突起部３３の表面に樹脂部３２を形成した後、突起部３３と突起部３４とを接着または縫製によって取り付ける。
【００３０】
図８は、樹脂部の３次元パターンの第１変形例を示すブラジャーの正面図である。同図に示すブラジャー３Ｃの樹脂部３５は、アンダー部分に沿って形成された幅０．２〜５ｍｍ程度の曲線状の３次元パターンを有する。
【００３１】
図９は、樹脂部の３次元パターンの第２変形例を示すブラジャーの正面図である。同図に示すブラジャー３Ｄの樹脂部３６は、アンダー部分に沿って形成され、中心から外側に行くほど径が大きくなるコイル状の３次元パターンを有する。
【００３２】
図１０は、樹脂部の３次元パターンの第３変形例を示すブラジャーの正面図である。同図に示すブラジャー３Ｅの樹脂部３７は、アンダー部分に沿って形成され、中心部と外縁部とを不規則に複数回往復する曲線状の３次元パターンを有する。
【００３３】
図１１は、樹脂部の３次元パターンの第４変形例を示すブラジャーの正面図である。同図に示すブラジャー３Ｆの樹脂部３８は、中心部に２つの閉曲線が局在した３次元パターンを有する。２つの閉曲線は囲む面積が異なっており、囲む面積が大きい方の閉曲線が囲んでいる領域内にもう一つの閉曲線が位置している。ブラジャー３Ｆの中心部に局在した樹脂部３８を形成することにより、ブラジャー３Ｆの左右方向への伸びを止めたりブラジャー３Ｆの中心部での型崩れを防止したりすることができる。
【００３４】
図１２は、樹脂部の３次元パターンの第５変形例を示すブラジャーの正面図である。同図に示すブラジャー３Ｇの樹脂部３９は、ブラジャー３Ｇの中心部に複数の曲線が局在した３次元パターンを有する。各曲線は、突起部３１の頂点を上向きにして平面に置いて広げたときに平面からの高さが略同じ位置を通過しており、曲線ごとにその高さが異なっている。この場合にも、第４変形例と同様の効果を得ることができる。
【００３５】
図１３は、樹脂部の３次元パターンの第６変形例を示すブラジャーの正面図である。同図に示すブラジャー３Ｈの樹脂部３ａは、ブラジャー３Ｈの表面の縁に沿って破線状の３次元パターンが周回して形成されている。
【００３６】
図１４は、樹脂部の３次元パターンの第７変形例を示すブラジャーの正面図である。同図に示すブラジャー３Ｉの樹脂部３ｂは、ブラジャー３Ｉの表面のうち上方の縁に沿って破線状の３次元パターンが形成されている。
【００３７】
以上説明した実施の形態１の各変形例が、実施の形態１と同様の効果を奏することはいうまでもない。
【００３８】
（実施の形態２）
図１５Ａは、実施の形態２に係る衣類の構成を示す正面図である。図１５Ｂは、図１５Ａの矢視Ｂ方向の側面図である。図１５Ａおよび図１５Ｂに示す衣類４は、ショートパンツ状の生地部である下衣５と、下衣５の臀部側の表面に設けられる補強部６とを備える。
【００３９】
補強部６は、着用者の臀部を被覆する略椀状の突起部６１と、突起部６１の表面に設けられる樹脂部６２とを有する。
【００４０】
突起部６１は、略椀状の頂点を上にして平面に置いて広げたとき、３次元的に突起した略椀状をなす。このとき、突起部３１の頂点の平面からの高さは２ｃｍ以上である。
【００４１】
樹脂部６２は、突起部６１の表面に形成された３次元パターンを有する。具体的には、樹脂部６２は、２つの閉曲線６２１と、閉曲線６２１の内側に設けられる複数の点６２２とからなる。閉曲線６２１は、左右対称に配置されており、着用者の臀部の割れ目に相当する位置で接している。また、閉曲線６２１は、着用者の大臀筋に対応する位置に形成される。点６２２の密度は、例えば突起部６１の頂点付近で最も高い。樹脂部６２を構成する樹脂は、実施の形態１と同じである。
【００４２】
なお、突起部６１を下衣５の内側に取り付けてもよいし、突起部６１を下衣５と裏地との間に設けてもよい。また、樹脂部６２を突起部６１の裏面側に設けてもよいし、突起部６１の内部に設けてもよい。
【００４３】
以上の構成を有する衣類４は、例えば女性用のガードルとして適用される。なお、衣類４をパンツ、スカート、スパッツ等のボトムスにおける生地部の表面、裏面、または内部に取り付けて一体化することによって衣類を構成してもよい。
【００４４】
以上説明した実施の形態２によれば、実施の形態１と同様に、平面に置いて広げた状態で立体的な形状を有する部分を補強したり、その部分の型崩れを防止したりすることができる。
【００４５】
また、実施の形態２によれば、着用者の臀部の形状に合わせて線状パターンおよび点状パターンの組み合わせからなる３次元パターンを自由に形成することができるため、着用時の臀部をより美しく見せる効果をサポートすることができる。
【００４６】
（変形例）
図１６Ａは、実施の形態２の変形例に係る衣類の構成を示す正面図である。図１６Ｂは、図１６Ａの矢視Ｃ方向の側面図である。図１６Ａおよび図１６Ｂに示す衣類４Ａは、下衣５と、下衣５の表面に設けられる補強部６Ａであって下衣５の腹部側から臀部側にかけて周回している補強部６Ａとを備える。
【００４７】
補強部６Ａは、着用者の臀部を被覆する略椀状の突起部６１Ａと、突起部６１Ａの表面に設けられる樹脂部６３とを有する。
【００４８】
樹脂部６３は、曲線部６３１と、点群部６３２と、矩形部６３３とを有する。曲線部６３１は、補強部６Ａの臀部側と腹部側をつなぐ複数の曲線状の３次元パターンを有しており、着用者の臀部下部に対応する位置を通っている。点群部６３２は、補強部６Ａの臀部側の下端中央部に局在し、着用者の臀部の形状に沿った複数の点を用いて構成される３次元パターンを有する。矩形部６３３は、腹部側の中央部に形成され、囲む面積が互いに異なる複数の矩形状の曲線からなる。複数の曲線は、囲む面積が最も大きい曲線が囲んでいる領域内に、入れ子状に配置されている。
【００４９】
以上説明した実施の形態２の変形例が、実施の形態２と同様の効果を奏することはいうまでもない。
【００５０】
（実施の形態３）
図１７Ａは、実施の形態３に係る衣類の構成を示す正面図である。図１７Ｂは、図１７Ａの矢視Ｄ方向の側面図である。図１７Ａおよび図１７Ｂに示す衣類７は、筒状部７１と、樹脂部７２とを備える。
【００５１】
筒状部７１は、略椀状に突起し、表面の一部に樹脂部７２が設けられた略椀状の突起部７１１を有する。突起部７１１は、着用者が衣類７を着用する際に膝や肘が当たる部分である。突起部７１１は、略椀状の頂点を上にして平面に自然に置いて広げたとき、３次元的に突起した略椀状をなす。このとき、突起部７１１の頂点の平面からの高さは２ｃｍ以上である。
【００５２】
樹脂部７２は、突起部７１１の表面に設けられており、互いに径が異なる２つの略円状の閉曲線と、各閉曲線上および閉曲線の内側に形成された複数の点とからなる３次元パターンを有する。なお、樹脂部７２を突起部７１１の内側に取り付けてもよいし、樹脂部７２を突起部７１１の内部に設けてもよい。
【００５３】
以上説明した実施の形態３によれば、実施の形態１と同様に、平面に置いて広げた状態で立体的な形状を有する部分を補強したり、その部分の型崩れを防止したりすることができる。
【００５４】
また、実施の形態３によれば、着用者の膝部や肘部の形状に合わせて樹脂部を構成することができるため、膝部や肘部が物体と衝突する際の衝撃を緩和して保護するとともに、膝や肘の曲げ伸ばしをサポートすることができる。
【００５５】
なお、上述した構成を有する衣類７を、パンツやスパッツなどの生地部の膝部、または長袖シャツの肘部の表面、裏面または内部に取り付けることによって衣類を構成してもよい。
【００５６】
（変形例）
図１８Ａは、実施の形態３の変形例に係る衣類の構成を示す正面図である。図１８Ｂは、図１８Ａの矢視Ｅ方向の側面図である。図１８Ａおよび図１８Ｂに示す衣類７Ａは、筒状部７１と、樹脂部７２Ａとを備える。衣類７は、衣類７Ａと同様、膝や肘に着用するサポータであり、樹脂部７２Ａが着用時に膝または肘が当たる部分である。
【００５７】
樹脂部７２Ａは、線状のパターンを組み合わせることによって突起部７１１の表面から筒状部７１の裏側を介して周回する３次元パターンを有する。
【００５８】
このように、実施の形態３においても、樹脂部を構成する３次元パターンは様々な形状に変形可能であり、線状パターンおよび点状パターンの少なくとも一方を用いて形成することができる。
【００５９】
以上説明した実施の形態３の変形例が、実施の形態３と同様の効果を奏することはいうまでもない。
【００６０】
ここまで、本発明を実施するための形態を説明してきたが、本発明は上述した実施の形態によって限定されるべきものではない。例えば、着用者の肩部や腰部などに相当する突起部を設け、その突起部に樹脂部を形成してもよい。
【符号の説明】
【００６１】
１、１Ａ、１Ｂ、４、４Ａ、７、７Ａ  衣類
２  上衣
３、３Ａ、３Ｂ、３Ｃ、３Ｄ、３Ｅ、３Ｆ、３Ｇ、３Ｈ、３Ｉ  ブラジャー
３’  裏地
５  下衣
６、６Ａ  補強部
３１、３３、３４、６１、６１Ａ、７１１  突起部
３ａ、３ｂ、３２、３５〜３９、６２、６３、７２、７２Ａ  樹脂部
７１  筒状部
【図１】
2020105658.tif 000003
【図２】
2020105658.tif 000004
【図３】
2020105658.tif 000005
【図４】
2020105658.tif 000006
【図５】
2020105658.tif 000007
【図６】
2020105658.tif 000008
【図７】
2020105658.tif 000009
【図８】
2020105658.tif 000010
【図９】
2020105658.tif 000011
【図１０】
2020105658.tif 000012
【図１１】
2020105658.tif 000013
【図１２】
2020105658.tif 000014
【図１３】
2020105658.tif 000015
【図１４】
2020105658.tif 000016
【図１５Ａ】
2020105658.tif 000017
【図１５Ｂ】
2020105658.tif 000018
【図１６Ａ】
2020105658.tif 000019
【図１６Ｂ】
2020105658.tif 000020
【図１７Ａ】
2020105658.tif 000021
【図１７Ｂ】
2020105658.tif 000022
【図１８Ａ】
2020105658.tif 000023
【図１８Ｂ】
2020105658.tif 000024